【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
インプラント可能な医療装置であって、
一定の長さを有し、該長さに沿って互いに反対の方向を向いた一連の頂端を有する第１のフレームワークエレメントであって、共通の中心軸の周囲に螺旋状に配置された第１のフレームワークエレメントと、
一定の長さを有し、該長さに沿って互いに反対の方向を向いた一連の頂端を有する第２のフレームワークエレメントであって、共通の中心軸の周囲に螺旋状に配置され、前記第１のフレームワークエレメントの頂端と前記第２のフレームワークエレメントの頂端が互いに隣接する位置にあるように前記第１のフレームワークエレメントと共に位置決めされた第２のフレームワークエレメントと、
前記第１のフレームワークエレメントを前記第２のフレームワークエレメントに、螺旋状の第１のコースに沿って、隣接する第１のフレームワークエレメントの頂端と第２のフレームワークエレメントの頂端とを通ってつなぐ第１の可撓性リンケージエレメントと、
前記第１のフレームワークエレメントを前記第２のフレームワークエレメントに、前記螺旋状の第１のコースと異なる螺旋状の第２のコースに沿って、隣接する第２のフレームワークエレメントの頂端と第１のフレームワークエレメントの頂端とを通ってつなぐ第２の可撓性リンケージエレメントと、
を有する、
インプラント可能な医療装置。
【請求項２】
前記第１の可撓性リンケージが前記第１のフレームワークエレメントと前記第２のフレームワークエレメントの少なくとも２つの隣接する頂端をつなぎ合わす、請求項１に記載のインプラント可能な医療装置。
【請求項３】
前記第２の可撓性リンケージが前記第２のフレームワークエレメントと前記第１のフレームワークエレメントの少なくとも２つの隣接する頂端をつなぎ合わす、請求項１に記載のインプラント可能な医療装置。
【請求項４】
前記第１のフレームワークエレメントが前記第２のフレームワークエレメントと異なる物理的特性を示す材料で作られている、請求項１に記載のインプラント可能な医療装置。
【請求項５】
前記第１の可撓性リンケージが前記第２の可撓性リンケージと異なる物理的特性を示す材料で作られている、請求項１に記載のインプラント可能な医療装置。
【請求項６】
前記第１のフレームワークエレメントが前記第２のフレームワークエレメントと異なる物理的特性を示す横断面積形状を有する、請求項１に記載のインプラント可能な医療装置。
【請求項７】
前記第１の可撓性リンケージが前記第２の可撓性リンケージと異なる物理的特性を示す横断面積形状を有する、請求項１に記載のインプラント可能な医療装置。
【請求項８】
一定の長さを有し、該長さに沿って互いに反対の方向を向いた一連の頂端を有する第３のフレームワークエレメントを更に有する、請求項１に記載のインプラント可能な医療装置。
【請求項９】
第３の可撓性リンケージエレメントを、更に有する、請求項８に記載のインプラント可能な医療装置。
【請求項１０】
被膜を更に有する、請求項１に記載のインプラント可能な医療装置。
【請求項１１】
前記被膜と分離できるように組み合わされた生体活性材料を更に有する、請求項１０に記載のインプラント可能な医療装置。
【請求項１２】
インプラント可能な医療装置であって、
一定の長さを有し、該長さに沿って互いに反対の方向を向いた一連の頂端を有する第１のフレームワークエレメントであって、共通の中心軸の周囲に螺旋状に配置された第１のフレームワークエレメントと、
一定の長さを有し、該長さに沿って互いに反対の方向を向いた一連の頂端を有する第２のフレームワークエレメントであって、共通の中心軸の周囲に螺旋状に配置され、前記第１のフレームワークエレメントの頂端と前記第２のフレームワークエレメントの頂端が互いに隣接する位置にあるように前記第１のフレームワークエレメントと共に位置決めされた第２のフレームワークエレメントと、
前記第１のフレームワークエレメントを前記第２のフレームワークエレメントに、螺旋状の第１のコースに沿って、隣接する第１のフレームワークエレメントの頂端と第２のフレームワークエレメントの頂端とを通ってつなぐ第１の可撓性リンケージエレメントと、
前記第１のフレームワークエレメントを前記第２のフレームワークエレメントに、前記螺旋状の第１のコースと異なる螺旋状の第２のコースに沿って、隣接する第２のフレームワークエレメントの頂端と第１のフレームワークエレメントの頂端とを通ってつなぐ第２の可撓性リンケージエレメントと、
前記装置の少なくとも一部に施された被膜と、
を有する、
インプラント可能な医療装置。
【請求項１３】
前記被膜と分離できるように組み合わされた生体活性材料を更に有する、請求項１２に記載のインプラント可能な医療装置。
【請求項１４】
前記第１の可撓性リンケージが前記第１のフレームワークエレメントと前記第２のフレームワークエレメントの少なくとも２つの隣接する頂端をつなぎ合わす、請求項１２に記載のインプラント可能な医療装置。
【請求項１５】
前記第２の可撓性リンケージが前記第２のフレームワークエレメントと前記第１のフレームワークエレメントの少なくとも２つの隣接する頂端をつなぎ合わす、請求項１２に記載のインプラント可能な医療装置。
【請求項１６】
前記第１のフレームワークエレメントが前記第２のフレームワークエレメントと異なる物理的特性を示す材料で作られている、請求項１２に記載のインプラント可能な医療装置。
【請求項１７】
前記第１の可撓性リンケージが前記第２の可撓性リンケージと異なる物理的特性を示す材料で作られている、請求項１２に記載のインプラント可能な医療装置。
【請求項１８】
前記第１のフレームワークエレメントが前記第２のフレームワークエレメントと異なる物理的特性を示す横断面積形状を有する、請求項１２に記載のインプラント可能な医療装置。
【請求項１９】
前記第１の可撓性リンケージが前記第２の可撓性リンケージと異なる物理的特性を示す横断面積形状を有する、請求項１２に記載のインプラント可能な医療装置。
【請求項２０】
一定の長さを有し、この長さに沿って互いに反対の方向を向いた一連の頂端を有する第３のフレームワークエレメントを、更に有する、請求項１２に記載のインプラント可能な医療装置。
【請求項２１】
第３の可撓性リンケージエレメントを、更に有する、請求項２０に記載のインプラント可能な医療装置。
【手続補正２】
【補正対象書類名】明細書
【補正対象項目名】００５８
【補正方法】変更
【補正の内容】
【００５８】
この例は、構造の各端に共通のフレームワークエレメントを組み入れた管状構成における本発明の一実施形態の構造を説明する。フレームワークエレメントは組成が金属、リンケージエレメントはフルオロポリマーであった。金属エレメントは、ステンレス鋼の管状ピースをパターンに従ってレーザ切断することによって成形された。ステンレス鋼の未切断の円筒状ピースをレーザ切断のためにマンドレル（１０）に嵌めた。図９から図１３はそれぞれ、パターン化レーザ切断で成形できる本発明の可撓性フレームワークエレメントの例を示す。
【手続補正３】
【補正対象書類名】明細書
【補正対象項目名】００６０
【補正方法】変更
【補正の内容】
【００６０】
図１８に示した通り、第１の可撓性フレームワークエレメント（１２）の一端を共通のフレームワークエレメント（２２）に部位（２３）で取り付け、第２の可撓性フレームワークエレメント（１４）を共通のフレームワークエレメントに部位（２５）で取り付けた。同様に、第２の可撓性フレームワークエレメント（１４）の一端を共通のフレームワークエレメント（２２）に部位（２５）で取り付けた。実地では、共通のフレームワークエレメントも同じ仕方で該構造の反対側の端に置いた。